(57)【要約】【課題】バリヤ羽根等の駆動装置において、衝撃力等でバリヤ羽根が誤作動するのを防止する。【解決手段】開口部１０ａを有する基板１０、基板１０に対して開口部１０ａに望む位置と開口部１０ａから外れた退避位置との間を移動自在に支持された一対のバリヤ羽根２０、バリヤ羽根２０を開口部１０ａから外れた退避位置に位置決めするべく基板に設けられたストッパ３０、バリヤ羽根２０を駆動する電磁駆動源４０を備え、ストッパ３０は磁石及び強磁性体の一方により形成され、一対のバリヤ羽根２０は少なくともストッパ３０と当接する端面領域において磁石及び強磁性体の他方により形成された吸着部２１ｄ，２２ｄを有する。これにより、落下等による衝撃力を受けても、バリヤ羽根２０が勝手に移動するのを防止できる。【選択図】図１
2006284641.tif 000002
【特許請求の範囲】
【請求項１】
開口部を有する基板と、前記基板に対して前記開口部に望む位置と前記開口部から外れた退避位置との間を移動自在に支持された羽根部材と、前記羽根部材を前記開口部に望む位置又は退避位置に位置決めするべく前記基板に設けられたストッパと、前記羽根部材を駆動する電磁駆動源と、を備えたカメラ用羽根駆動装置であって、
前記ストッパは、磁石及び強磁性体の一方により形成され、
前記羽根部材は、少なくとも前記ストッパと当接する端面領域において、磁石及び強磁性体の他方により形成された吸着部を有する、
ことを特徴とするカメラ用羽根駆動装置。
【請求項２】
前記羽根部材は、前記基板に設けられた支軸に対して揺動自在に支持され、
前記羽根部材に形成された吸着部は、前記支軸から離れた自由端側寄りに配置されている、
ことを特徴とする請求項１記載のカメラ用羽根駆動装置。
【請求項３】
前記羽根部材は、前記基板に設けられた支軸に対してそれぞれ揺動自在に支持された一対の羽根部材からなり、
前記ストッパは、前記一対の羽根部材をそれぞれ当接して位置決めする一対のストッパからなり、
前記一対の羽根部材には、それぞれ前記吸着部が形成されている、
ことを特徴とする請求項１又は２に記載のカメラ用羽根駆動装置。
【請求項４】
前記羽根部材は、前記開口部を開閉するバリヤ羽根、前記開口部を開閉するシャッタ羽根、又は、前記開口部を所定の口径に絞る絞り羽根である、
ことを特徴とする請求項１ないし３いずれかに記載のカメラ用羽根駆動装置。
【請求項５】
前記吸着部は、前記羽根部材に埋設して一体成型されている、
ことを特徴とする請求項１ないし４いずれかに記載のカメラ用羽根駆動装置。
【発明の詳細な説明】
【技術分野】
【０００１】
本発明は、デジタルカメラ等の開口部に配置されたバリヤ羽根、シャッタ羽根、あるいは絞り羽根等の羽根部材を駆動して位置決めするカメラ用羽根駆動装置に関する。
【背景技術】
【０００２】
従来のカメラ用羽根駆動装置としては、露光用の開口部を有する基板、基板に対して回動自在に支持され開口部に臨む位置（閉鎖位置）と開口部から外れた退避位置（開放位置）との間を移動する一対のシャッタ羽根、シャッタ羽根に形成された孔に挿入される駆動ピン及びロータを有しシャッタ羽根を駆動するモータ等を備え、一対のシャッタ羽根が退避位置に位置するとき、ロータをその角度位置において磁気的吸引力すなわちディテントトルクにより保持して、シャッタ羽根を退避位置に保持するようにしたものが知られている（例えば、特許文献１参照）。
しかしながら、ロータのディテントトルクを用いる保持手法では、デジタルカメラ等を落下させて外部から衝撃力が加わったような場合に、ディテントトルクが比較的小さいため、シャッタ羽根が閉鎖位置に移動してしまう虞がある。
【０００３】
また、従来のカメラ用羽根駆動装置としては、露光用の開口部を有する基板、基板に対して直線的に往復動可能に支持され開口部に臨む絞り位置と開口部から外れた退避位置との間を移動する一対の絞り羽根、絞り羽根に形成された孔に挿入される駆動ピン及びロータを有し絞り羽根を駆動するモータ、一対の絞り羽根の主面にそれぞれ貼付された強磁性体板、基板を覆う蓋に貼付され絞り羽根の強磁性体板と所定の間隙をおいて磁気的吸引力を及ぼす磁石等を備え、一対の絞り羽根を常時一方向に付勢するようにしてガタ寄せを行うようにしたものが知られている（例えば、特許文献２参照）。
しかしながら、この付勢手法では、絞り羽根を開口部に臨む位置あるいは退避位置に保持することはできず、又、絞り羽根に貼付された強磁性体板と蓋に貼付された磁石とは、絞り羽根の端面ではなく主面方向においてお互いに磁気的吸引力を及ぼすため、磁気的吸引力が及ぶ範囲は比較的広くなり、絞り羽根を駆動する際の駆動負荷が増加するという問題がある。
【０００４】
【特許文献１】特開２００１−７５１４５号公報
【特許文献２】特開２０００−３１４９０５号公報
【発明の開示】
【発明が解決しようとする課題】
【０００５】
本発明は、上記の事情に鑑みて成されたものであり、その目的とするところは、構造の簡略化、装置の小型化等を図りつつ、落下等により衝撃力が加わっても、羽根部材を開口部に臨む位置又は開口部から外れた退避位置に確実に保持することができるカメラ用羽根駆動装置を提供することにある。
【課題を解決するための手段】
【０００６】
本発明のカメラ用羽根駆動装置は、開口部を有する基板と、基板に対して開口部に望む位置と開口部から外れた退避位置との間を移動自在に支持された羽根部材と、羽根部材を開口部に臨む位置又は退避位置に位置決めするべく基板に設けられたストッパと、羽根部材を駆動する電磁駆動源と、を備えたカメラ用羽根駆動装置であって、上記ストッパは、磁石及び強磁性体の一方により形成され、上記羽根部材は、少なくともストッパと当接する端面領域において磁石及び強磁性体の他方により形成された吸着部を有する、ことを特徴としている。
この構成によれば、電磁駆動源により羽根部材が駆動されて、開口部に臨む位置又は開口部から外れた退避位置にあるとき、羽根部材はその吸着部がストッパに当接して位置決めされると共に、羽根部材の端面領域において発生する磁気的吸引力により、羽根部材はストッパに吸着されて確実に開口部に臨む位置又は退避位置に保持される。したがって、この装置がデジタルカメラ等に搭載された状態で落下等による衝撃力を受けても、羽根部材は勝手に移動することなく所定位置に保持されて所期の状態（例えば、撮影待機の状態）を確保することができる。
【０００７】
上記構成において、羽根部材は、基板に設けられた支軸に対して揺動自在に支持され、羽根部材に形成された吸着部は、支軸から離れた自由端側寄りに配置されている、構成を採用することができる。
この構成によれば、吸着部が羽根部材の揺動支点（支軸）から離れた自由端側寄りに配置されるため、吸着部とストッパとの間に作用する磁気的吸引力によるトルクが大きくなり、羽根部材をより強力な保持力で、開口部に臨む位置又は退避位置に保持することができる。
【０００８】
上記構成において、羽根部材は、基板に設けられた支軸に対してそれぞれ揺動自在に支持された一対の羽根部材からなり、ストッパは、一対の羽根部材をそれぞれ当接して位置決めする一対のストッパからなり、一対の羽根部材には、それぞれ吸着部が形成されている、構成を採用することができる。
この構成によれば、開口部に対して開閉等の作用を及ぼす一対の羽根部材を、それぞれに対応するストッパと各々の吸着部との間に生じる磁気的吸引力により、開口部に臨む位置又は退避位置に確実に保持することができる。
【０００９】
上記構成において、羽根部材は、開口部を開閉するバリヤ羽根、開口部を開閉するシャッタ羽根、又は、開口部を所定の口径に絞る絞り羽根である、構成を採用することができる。
この構成によれば、羽根部材がバリヤ羽根あるいはシャッタ羽根の場合、撮影待機の状態で衝撃力等を受けた際に、バリヤ羽根あるいはシャッタ羽根が勝手に開口部を閉鎖するのを防止でき、又、羽根部材が絞り羽根の場合、撮影待機の状態で衝撃力等を受けた際に、絞り羽根が勝手に開口部を絞るのを防止できる。
【００１０】
上記構成において、吸着部は、羽根部材に埋設して一体成型されている、構成を採用することができる。
この構成によれば、吸着部が羽根部材に埋設して一体成型されるため、吸着部を後付けする場合に比べて、製造コスト及び部品の管理コストを低減でき、装置全体のコストを低減することができる。
【発明の効果】
【００１１】
上記構成をなすカメラ用羽根駆動装置によれば、この装置がデジタルカメラ等に搭載された状態で落下等による衝撃力を受けても、羽根部材を開口部に臨む位置又は開口部から外れた退避位置に確実に保持することができる。すなわち、構造の簡略化、装置の小型化等を達成しつつ、落下等により受ける衝撃力等に対して誤作動を生じない高精度な動作が得られる。
【発明を実施するための最良の形態】
【００１２】
以下、本発明の最良の実施形態について、添付図面を参照しつつ説明する。
図１ないし図５は、本発明に係るカメラ用羽根駆動装置の一実施形態を示すものであり、図１は装置の一部を省いた斜視図、図２は装置の分解斜視図、図３は羽根部材に埋設した吸着部を示す部分断面図、図４は羽根部材が開口部から外れた退避位置にある状態を示す平面図、図５は羽根部材が開口部に望む位置にある状態を示す平面図である。
【００１３】
この装置は、図１及び図２に示すように、略矩形の開口部１０ａを有する基板１０、基板１０に対して揺動自在に支持され開口部１０ａに臨む位置と開口部１０ａから外れた退避位置との間を移動自在に支持された羽根部材としての第１バリヤ羽根２１及び第２バリヤ羽根２２からなる一対のバリヤ羽根２０、バリヤ羽根２０を退避位置に位置決めするべく基板１０に植設された一対のストッパ３０、バリヤ羽根２０を駆動するための回転駆動力を発生する電磁駆動源４０、電磁駆動源４０とバリヤ羽根２０とを連結するリンク部材５０、バリヤ羽根２０を覆うカバー６０等を備えている。
【００１４】
基板１０は、図１及び図２に示すように、輪郭が略矩形をなすように樹脂材料により形成されて、中央部に開けられた略矩形の開口部１０ａ、一対のバリヤ羽根２０を摺動させる平坦面１０ｂ、一対のバリヤ羽根２０を揺動自在に支持する二つの支軸１１、リンク部材５０を回動自在に支持する支軸１２、電磁駆動源４０の後述する駆動ピン４１を通す扇状の貫通孔１３、ネジ穴１４等を備えている。
【００１５】
一対のストッパ３０は、永久磁石により略円柱状に形成されており、図４に示すように、第１バリヤ羽根２１及び第２バリヤ羽根２２を開口部１０ａから外れた退避位置に停止させるように、基板１０に植設されている。
すなわち、一対のストッパ３０は、第１バリヤ羽根２１及び第２バリヤ羽根２２が開口部１０ａから外れた退避位置に移動したとき、第１バリヤ羽根２１及び第２バリヤ羽根２２の自由端側寄りの端面（後述する吸着部２１ｄ，２２ｄ）に当接して停止させ、それ以上の移動を規制すると共に磁気的吸引力により保持するようになっている。
【００１６】
一対のバリヤ羽根２０は、図１及び図２、図４及び図５に示すように、樹脂材料により形成された第１バリヤ羽根２１及び第２バリヤ羽根２２により構成されている。
第１バリヤ羽根２１は、支軸１１を通す円孔２１ａ、長孔２１ｂ、半球状に両面から突出した突起２１ｃ、自由端側の端面に露出するように埋設された吸着部２１ｄ等を備えている。
第２バリヤ羽根２２は、支軸１１を通す円孔２２ａ、第１バリヤ羽根２１の長孔２１ｂに挿入されるピン２２ｂ、半球状に両面から突出した突起２２ｃ、自由端側の端面に露出するように埋設された吸着部２２ｄ、リンク部材５０に連結されるピン２２ｅ等を備えている。
そして、第１バリヤ羽根２１と第２バリヤ羽根２２とは、図４及び図５に示すように、それぞれの円孔２１ａ，２２ａに支軸１１が通されて揺動自在に支持されると共に、ピン２２ｂが長孔２１ｂに挿入されて、一方のバリヤ羽根（ここでは、第２バリヤ羽根２２）に駆動力を及ぼすことにより、第１バリヤ羽根２１及び第２バリヤ羽根２２が連動して開閉動作を行うようになっている。
【００１７】
突起２１ｃ，２２ｃは、第１バリヤ羽根２１及び第２バリヤ羽根２２上の支軸１１（揺動支点）から離れた自由端側寄りに設けられており、それぞれ基板１０の平坦面１０ｂ及びカバー６０の後述する内壁面６０ｂを摺動して、第１バリヤ羽根２１及び第２バリヤ羽根２２を、開口部１０ａに臨む位置と退避位置との間で、ガタツキを生じないように案内するものである。これにより、バリヤ羽根２０（第１バリヤ羽根２１及び第２バリヤ羽根２２）が往復動する際に生じる摩擦力が低減され、安定した動作が得られる。
【００１８】
吸着部２１ｄ，２２ｄは、支軸１１から離れた第１バリヤ羽根２１及び第２バリヤ羽根２２の自由端側寄り（略中間よりも先端寄り）で、かつ、ストッパ３０と当接する端面領域に設けられている。
吸着部２１ｄ，２２ｄは、鉄等の強磁性体からなる材料により形成され、図３（ａ）ないし図３（ｃ）に示すように、第１バリヤ羽根２１及び第２バリヤ羽根２２に埋設して一体成型されると共にその一部が端面領域に露出するように又は全てが覆われるように形成されている。
図３（ａ）に示す形状の吸着部２１ｄ，２２ｄは、端面領域の全域に露出した形状となっているため、ストッパ３０との間で強い磁気的吸引力が得られ、図３（ｂ）に示す形状の吸着部２１ｄ，２２ｄは、端面領域の一部に露出した形状となっているため、ストッパ３０との間で若干弱められた磁気的吸引力が得られる。
このように、端面における吸着部２１ｄ，２２ｄの露出量を適宜選定することにより、ストッパ３０との間で所望の磁気的吸引力を発生させることができる。
図３（ｃ）に示す形状の吸着部２１ｄ，２２ｄは、端面領域から距離Ａだけ入り込んで全て埋設された（覆われた）形状となっているため、距離Ａの値を適宜調整することにより、所望の吸引力を発生させることができ、又、比較的脆い永久磁石（ストッパ３０）に対して硬い強磁性体（吸着部２１ｄ，２２ｄ）が直接当接しないため、永久磁石の破損等を防止できる。
【００１９】
また、吸着部２１ｄ，２２ｄが、第１バリヤ羽根２１及び第２バリヤ羽根２２の揺動支点（支軸１１）から離れた自由端側寄りに配置されるため、吸着部２１ｄ，２２ｄとストッパ３０との間に作用する磁気的吸引力によるトルクが大きくなり、第１バリヤ羽根２１及び第２バリヤ羽根２２をより強力な保持力で退避位置に保持することができる。
さらに、吸着部２１ｄ，２２ｄは、第１バリヤ羽根２１及び第２バリヤ羽根２２に埋設して一体成型されているため、別個に形成して後付けするような場合に比べて、接合強度が高められ、又、製造工程において管理を要する部品点数を削減でき、製造コストを低減することができる。
【００２０】
電磁駆動源４０は、ムービングマグネット型のモータであり、所定の角度範囲を回動するロータ（不図示）、ロータに一体的に形成された駆動ピン４１、励磁用のコイル（不図示）、磁路を形成するヨーク（不図示）等を備えており、基板１０に対してネジＢ等により固定されるようになっている。
【００２１】
リンク部材５０は、図１、図２、図４、図５に示すように、基板１０の支軸１２が通される円孔５１、電磁駆動源４０の駆動ピン４１が通される長孔５２、第２バリヤ羽根２２のピン２２ｅが挿入される切り欠き５３等を備えている。
すなわち、駆動ピン４１が貫通孔１３を往復動すると、リンク部材５０が支軸１２を支点として揺動し、切り欠き５３に連結されたピン２２ｅを介して、第１バリヤ羽根２１及び第２バリヤ羽根２２が開閉動作を行うようになっている。
【００２２】
カバー６０は、基板１０に取り付けられてバリヤ羽根２０を覆うものであり、図２に示すように、基板１０の開口部１０ａに対応する位置に設けられた略矩形形状の開口部６０ａ、バリヤ羽根２０の突起２１ｃ，２２ｃが摺動する内壁面６０ｂ、ネジＢを通す孔６１、ストッパ３０の先端を嵌合させる孔６２、駆動ピン４１の先端を通す長孔６３、ピン２２ｂを通す長孔６４、その他複数の位置決め孔あるいは逃げ孔等を備えている。
【００２３】
次に、この装置がデジタルカメラに搭載された場合の動作について、図４及び図５を参照しつつ説明する。
先ず、デジタルカメラが撮影されない収納状態では、図５に示すように、一対のバリヤ羽根２０（第１バリヤ羽根２１及び第２バリヤ羽根２２）は、開口部１０ａに臨む位置に位置付けられて、開口部１０ａを閉鎖し、内部のレンズ光学系を保護した状態にある。尚、電磁駆動源４０は、非通電の状態で磁気的吸引力によるディテントトルクを発生して、駆動ピン４１が移動しないように規制し、一対のバリヤ羽根４０をこの位置に保持している。
【００２４】
この状態から、操作者が撮影待機の状態にするためのスイッチを入れると、電磁駆動源４０が起動して駆動ピン４１が所定角度だけ回転し、リンク部材５０を介して、一対のバリヤ羽根２０（第１バリヤ羽根２１及び第２バリヤ羽根２２）は、図４に示すように、開口部１０ａから外れた退避位置に移動する。
【００２５】
そして、第１バリヤ羽根２１の吸着部２１ｄが一方のストッパ３０に当接して磁気的吸引力により吸着されると共に、第２バリヤ羽根２２の吸着部２２ｄが他方のストッパ３０に当接して磁気的吸引力により吸着される。これにより、第１バリヤ羽根２１及び第２バリヤ羽２２は、この退避位置に確実に保持される。したがって、この状態で仮に外部から衝撃力等を受けても、第１バリヤ羽根２１及び第２バリヤ羽根２２は、勝手に移動することなくそのまま退避位置に保持されて、撮影待機の状態が維持される。
【００２６】
この実施形態においては、第１バリヤ羽根２１及び第２バリヤ羽根２２の両方に吸着部２１ｄ，２２ｄを設けたが、磁気的吸引力で両方のバリヤ羽根２１，２２が保持される限り、一方にだけ設けてもよい。また、第１バリヤ羽根２１及び第２バリヤ羽根２２の吸着部２１ｄ，２２ｄを強磁性体で形成し、ストッパ３０を永久磁石で形成したが、逆に吸着部を永久磁石で形成し、ストッパを強磁性体で形成してもよい。
【００２７】
図６及び図７は、本発明に係るカメラ用羽根駆動装置の他の実施形態を示すものであり、羽根部材として第１シャッタ羽根２１´及び第２シャッタ羽根２２´からなる一対のシャッタ羽根２０´を採用すると共に基板の一部を変更した以外、前述の実施形態と基本的に同一であるため、同一の構成については同一の符号を付してその説明を省略する。
この装置において、基板１０´は、リンク部材５０を覆うと共に一対のシャッタ羽根２０´を摺動自在に案内するガイド１０ｂ´´をもつ仕切り板１０´´が別体として形成された後に組み付けられるようになっている。
【００２８】
一対のストッパ３０´は、鉄等の強磁性体により略円柱状に形成されており、図６に示すように、第１シャッタ羽根２１´及び第２シャッタ羽根２２´を開口部１０ａから外れた退避位置に停止させるように、基板１０´に植設されている。
すなわち、一対のストッパ３０´は、第１シャッタ羽根２１´及び第２シャッタ羽根２２´が開口部１０ａから外れた退避位置に移動したとき、第１シャッタ羽根２１´及び第２シャッタ羽根２２´の自由端側寄りの端面（後述する吸着部２１ｄ´，２２ｄ´）に当接して停止させ、それ以上の移動を規制すると共に磁気的吸引力により保持するようになっている。
【００２９】
一対のシャッタ羽根２０´は、図６及び図７に示すように、樹脂材料により形成された第１シャッタ羽根２１´及び第２シャッタ羽根２２´により構成されている。
第１シャッタ羽根２１´は、円孔２１ａ、長孔２１ｂ、自由端側の端面に露出するように埋設された吸着部２１ｄ´等を備えている。
第２シャッタ羽根２２´は、円孔２２ａ、ピン２２ｂ、円弧状に突出した突状部２２ｃ´、自由端側の端面に露出するように埋設された吸着部２２ｄ´、ピン２２ｅ等を備えている。
【００３０】
吸着部２１ｄ´，２２ｄ´は、永久磁石により形成され、支軸１１（揺動支点）から離れた第１シャッタ羽根２１´及び第２シャッタ羽根２２´の自由端側寄り（略中間よりも先端寄り）で、かつ、ストッパ３０´と当接する端面領域において、図３（ａ）又は図３（ｂ）に示すように、埋設して一体成型されている。
【００３１】
この装置がデジタルカメラに搭載された場合、前述の実施形態と同様に、第１シャッタ羽根２１´及び第２シャッタ羽根２２´が開口部１０ａから外れた退避位置にあるとき、吸着部２１ｄ´，２２ｄ´がそれぞれ対応するストッパ３０´に当接して磁気的吸引力により吸着されるため、第１シャッタ羽根２１´及び第２シャッタ羽２２´は、この退避位置に確実に保持される。したがって、この状態で仮に外部から衝撃力等を受けても、第１シャッタ羽根２１´及び第２シャッタ羽根２２´は、勝手に移動することなくそのまま退避位置に保持されて、撮影待機の状態が維持される。
【００３２】
この実施形態においては、第１シャッタ羽根２１´及び第２シャッタ羽根２２´の両方に吸着部２１ｄ´，２２ｄ´を設けたが、磁気的吸引力で両方のシャッタ羽根２１´，２２´が保持される限り、一方にだけ設けてもよい。また、第１シャッタ羽根２１´及び第２シャッタ羽根２２´の吸着部２１ｄ´，２２ｄ´を永久磁石で形成し、ストッパ３０´を強磁性体で形成したが、逆に吸着部を強磁性体で形成し、ストッパを永久磁石で形成してもよい。
【００３３】
図８及び図９は、本発明に係るカメラ用羽根駆動装置のさらに他の実施形態を示すものであり、羽根部材として一枚の絞り羽根２０´´を採用すると共に基板の一部等を変更した以外、前述の実施形態と基本的に同一であるため、同一の構成については同一の符号を付してその説明を省略する。
この装置において、基板１０´´´は、円形の開口部１０ａ´´´、支軸１１、貫通孔１３、その他の位置決め孔及び逃げ孔等を備えている。
【００３４】
一対のストッパ３０´´は、永久磁石により形成され、絞り羽根２０´´を、図８に示すように開口部１０ａ´´´から外れた退避位置と、図９に示すように開口部１０ａ´´´に臨む位置とに、それぞれ停止させるように基板１０´´´に一体成型されている。
【００３５】
絞り羽根２０´´は、樹脂材料により形成され、図８及び図９に示すように、支軸１１が通される円孔２０ａ´´、駆動ピン４１が通される長孔２０ｂ´´、半球状に両面から突出した突起２０ｃ´´、自由端側の端面に露出するように埋設された２つの吸着部２０ｄ´´、所定の口径をなす絞り開口２０ｅ´´等を備えている。
吸着部２０ｄ´´は、鉄等の強磁性体からなる材料により形成され、支軸１１（揺動支点）から離れた絞り羽根２０´´の自由端側寄り（略中間よりも先端寄り）で、かつ、それぞれのストッパ３０´´と当接する端面領域において、図３（ａ）又は図３（ｂ）に示すように、埋設して一体成型されている。
【００３６】
この装置がデジタルカメラに搭載された場合、図８に示すように、絞り羽根２０´´が開口部１０ａ´´´から外れた退避位置（非絞り状態）にあるとき、一方の吸着部２０ｄ´´が対応する一方のストッパ３０´´に当接して磁気的吸引力により吸着され、一方、図９に示すように、絞り羽根２０´´が開口部１０ａ´´´に臨む位置（絞り状態）にあるとき、他方の吸着部２０ｄ´´が対応する他方のストッパ３０´´に当接して磁気的吸引力により吸着される。したがって、これら非絞り状態あるいは絞り状態で、仮に外部から衝撃力等を受けても、絞り羽根２０´´は、勝手に移動することなくそのまま、開口部１０ａ´´´から外れた退避位置又は開口部１０ａ´´´に臨む位置に、それぞれ確実に保持されて、非絞り状態又は絞り状態が維持される。
【００３７】
この実施形態においては、絞り羽根２０´´の吸着部２０ｄ´´を強磁性体で形成し、ストッパ３０´´を永久磁石で形成したが、逆に吸着部を永久磁石で形成し、ストッパを強磁性体で形成してもよい。
【００３８】
上記実施形態においては、羽根部材として、一対のバリヤ羽根２０（第１バリヤ羽根２１及び第２バリヤ羽根２２）、一対のシャッタ羽根２０´（第１シャッタ羽根２１´及び第２シャッタ羽根２２´）、一枚の絞り羽根２０´´を示したが、これに限定されるものではなく、一枚のバリヤ羽根、一枚のシャッタ羽根、一対又は複数枚の絞り羽根、さらには、ＮＤフィルタ羽根、赤外光カットフィルタ羽根等を備える構成において、本発明を採用してもよい。
【００３９】
上記実施形態においては、羽根部材が揺動あるいは回動する場合について本発明を適用した場合を示したが、これに限定されるものではなく、直線的に往復動する羽根部材においても適用することができる。
【００４０】
上記実施形態においては、この装置がデジタルカメラに搭載された場合について説明したが、これに限定されるものではなく、銀塩フィルム式のカメラ、その他のカメラ等においても、本発明を採用してもよい。
【産業上の利用可能性】
【００４１】
以上述べたように、本発明のカメラ用羽根駆動装置は、構造の簡略化、装置の小型化等を達成しつつ、羽根部材を開口部に臨む位置又は開口部から外れた退避位置に確実に保持することができるため、小型で携帯用のデジタルカメラ等に搭載されるのは勿論のこと、外部から衝撃力等を受けて羽根部材の誤作動の虞があるカメラであれば、携帯型に限らず、固定型のカメラにも有用である。
【図面の簡単な説明】
【００４２】
【図１】本発明のカメラ用羽根駆動装置の一実施形態を示すものであり、部品の一部を省いた斜視図である。
【図２】図１に示す装置の分解斜視図である。
【図３】（ａ），（ｂ），（ｃ）は、装置の一部をなす羽根部材の吸着部を示す部分断面図である。
【図４】一対のバリヤ羽根が開口部から外れた退避位置にある状態を示す平面図である。
【図５】一対のバリヤ羽根が開口部に臨む位置にある状態を示す平面図である。
【図６】本発明のカメラ用羽根駆動装置の他の実施形態を示すものであり、部品の一部を省いた斜視図である。
【図７】図６に示す装置の分解斜視図である。
【図８】本発明のカメラ用羽根駆動装置のさらに他の実施形態を示すものであり、絞り羽根が開口部から外れた退避位置にある状態を示す平面図である。
【図９】図８に示す装置において、絞り羽根が開口部に臨む位置にある状態を示す平面図である。
【符号の説明】
【００４３】
１０，１０´，１０´´´  基板
１０´´  仕切り板（基板）
１０ａ，１０ａ´´´  開口部
１０ｂ  平坦面
１１，１２  支軸
１３  貫通孔
２０  一対のバリヤ羽根（羽根部材）
２１  第１バリヤ羽根
２２  第２バリヤ羽根
２１ｃ，２２ｃ  突起
２１ｄ，２２ｄ  吸着部
２０´  一対のシャッタ羽根（羽根部材）
２１´  第１シャッタ羽根
２２´  第２シャッタ羽根
２１ｄ´，２２ｄ´  吸着部
２０´´  絞り羽根（羽根部材）
２０ｃ´´  突起
２０ｄ´´  吸着部
３０，３０´，３０´´  一対のストッパ
４０  電磁駆動源
４１  駆動ピン
５０  リンク部材
６０  カバー
【図１】
2006284641.tif 000003
【図２】
2006284641.tif 000004
【図３】
2006284641.tif 000005
【図４】
2006284641.tif 000006
【図５】
2006284641.tif 000007
【図６】
2006284641.tif 000008
【図７】
2006284641.tif 000009
【図８】
2006284641.tif 000010
【図９】
2006284641.tif 000011